(57)【要約】【課題】空中に架線された被覆電線等に対するスリーブ圧着作業や切断作業において、専用の油圧操作棒を必要とせず、経済的負担やハンドリング労力を低減することができる遠隔操作油圧工具を提供する。【解決手段】遠隔操作油圧工具１は、遠隔操作棒２と、この遠隔操作棒２の先端に取り付けられる油圧ヘッド把持部１０と、この油圧ヘッド把持部１０に着脱可能に装着される油圧ヘッド部２０と、を有し、油圧ヘッド部２０に油圧を送給する油圧ホース３を遠隔操作棒２の外部に配するものである。【選択図】図１
2008113513.tif 000002
【特許請求の範囲】
【請求項１】
遠隔操作棒と、
該遠隔操作棒の先端に取り付けられる油圧ヘッド把持部と、
該油圧ヘッド把持部に着脱可能に装着される油圧ヘッド部と、を有し、
油圧ヘッド部に油圧を送給する油圧ホースが遠隔操作棒の外部に配されていることを特徴とする遠隔操作油圧工具。
【請求項２】
前記油圧ヘッド部が、油圧式スリーブ圧着機用の油圧ヘッド部である請求項１に記載の遠隔操作油圧工具。
【請求項３】
前記油圧ヘッド部が、油圧切断機用の油圧ヘッド部である請求項１に記載の遠隔操作油圧工具。
【請求項４】
前記油圧ヘッド部が、固定ダイスが装着される固定ヘッド部と、可動ダイスが装着される基体部とを備えてなり、前記固定ダイスおよび可動ダイスを取り替えることにより、前記油圧ヘッド部がスリーブ圧着作業用の油圧ヘッド部または切断作業用の油圧ヘッド部として使用されるものである請求項１に記載の遠隔操作油圧工具。
【請求項５】
前記油圧ヘッド把持部が、前記遠隔操作棒の軸心方向に垂直な面に対して傾動可能に取り付けられている請求項１〜４のいずれかに記載の遠隔操作油圧工具。
【発明の詳細な説明】
【技術分野】
【０００１】
本発明は、空中に架設された被覆電線を切断したり、被覆材を剥ぎ取った被覆電線の芯線部分にスリーブを被せて圧着したりすることのできる遠隔操作油圧工具に関するものである。
【背景技術】
【０００２】
架線工事において、遠隔操作により、電線を切断したり、被覆材を剥ぎ取った被覆電線の芯線部分にスリーブを被せて圧着したりすることのできる工具として、遠隔操作油圧工具が用いられている。
【０００３】
例えば、図５に示す従来の遠隔操作油圧工具５０では、油圧操作棒５６の先端部に油圧ヘッド５１が備えられ、油圧操作棒５６の内部に油圧ホースが内蔵されている。油圧ヘッド５１には、油圧シリンダー５２が組み込まれており、油圧ヘッド５１の上腕部５１ａに装着された固定ダイス５３と下腕部５１ｂに装着された可動ダイス５４とを備え、下腕部５１ｂ（可動ダイス５４）を油圧シリンダー５２の伸長により上腕部５１ａ側に向けて押し出し、固定ダイス５３と可動ダイス５４との間に挟んだ被把持物（被覆材が剥ぎ取られた被覆電線の芯線部分Ａに被せられたスリーブＢ）に対して圧縮力を負荷するように構成されている。油圧シリンダー５２はその下部で雌型の高圧カプラ５５と接続され、油圧ヘッド５１を油圧操作棒５６に連結すると、この雌型の高圧カプラ５５が油圧操作棒５６の先端部に内蔵された雄型の高圧カプラに接続して、油圧ホースと連結されることになる。そして、手元で油圧ポンプを操作して油圧ヘッド５１の油圧シリンダー５２に油圧を負荷することによって、油圧シリンダー５２内のピストンが可動ダイス５４を上方に押し出し、スリーブＢを芯線部分Ａに圧着することができる。
【発明の開示】
【発明が解決しようとする課題】
【０００４】
しかしながら、このような遠隔操作油圧工具では、油圧ホースを内蔵する専用の油圧操作棒を用いる（場合によっては、油圧工具の種類に対応してそれぞれに専用の油圧操作棒が必要）ことになり、それだけ架線工事のために準備する工具数が増えることになる。空中に架設された被覆電線の架線工事には、通常、電線の把持、切断等に用いられる汎用の遠隔操作棒が準備され、使用されており、この汎用の遠隔操作棒のほかに、油圧工具に対応した専用の油圧操作棒を準備することは経済的負担が大きくなるだけでなく、工事現場でのそれらの操作棒を使い分けねばならず、ハンドリング労力も大きくなる。
【０００５】
本発明は、専用の油圧操作棒を用いることなく、電線の把持、切断等に用いられる汎用の遠隔操作棒の先端部に油圧工具を装着することにより、軽便に架線工事を行える遠隔操作油圧工具を提供することを目的としている。
【課題を解決するための手段】
【０００６】
請求項１に記載の遠隔操作油圧工具は、遠隔操作棒と、この遠隔操作棒の先端に取り付けられる油圧ヘッド把持部と、この油圧ヘッド把持部に着脱可能に装着される油圧ヘッド部と、を有し、油圧ヘッド部に油圧を送給する油圧ホースが遠隔操作棒の外部に配されていることを特徴とするものである。
【０００７】
請求項１に記載の遠隔操作油圧工具によれば、遠隔操作棒の先端に取り付けられた油圧ヘッド把持部に油圧ヘッド部が着脱可能に装着され、油圧ヘッド部に油圧を送給する油圧ホースが遠隔操作棒の外部に配して遠隔操作油圧工具を構成することができる。
【０００８】
したがって、棒本体内部に油圧ホースや接続金具を内蔵した専用の油圧操作棒を準備する必要がなく、汎用の遠隔操作棒を用いることができる。しかも、遠隔操作棒の先端に取り付けられた油圧ヘッド把持部に、作業内容に対応した油圧ヘッド部を装着するだけで、各種の架線工事に適した遠隔操作油圧工具を構成することができる。このように、遠隔操作棒のほかに、油圧ヘッド把持部と作業内容に対応した油圧ヘッド部とを準備するだけでよく、経済的負担や工事現場でのハンドリング労力を低減できる。
【０００９】
請求項２に記載の遠隔操作油圧工具は、請求項１に記載の遠隔操作油圧工具において、油圧ヘッド部が、油圧式スリーブ圧着機用の油圧ヘッド部であるものである。
【００１０】
請求項２に記載の遠隔操作油圧工具によれば、専用の油圧操作棒を準備することなく、汎用の遠隔操作棒を用い、この遠隔操作棒の先端に油圧式スリーブ圧着機用の油圧ヘッド部を装着することによって、遠隔操作可能な油圧式スリーブ圧着機を構成することができる。なお、油圧式スリーブ圧着機用の油圧ヘッド部としては、周知のものが使用される。
【００１１】
請求項３に記載の遠隔操作油圧工具は、請求項１に記載の遠隔操作油圧工具において、油圧ヘッド部が、油圧切断機用の油圧ヘッド部であるものである。
【００１２】
請求項３に記載の遠隔操作油圧工具によれば、専用の油圧操作棒を準備することなく、汎用の遠隔操作棒を用い、この遠隔操作棒の先端に油圧切断機用の油圧ヘッド部を取り付けることによって、遠隔操作可能な油圧切断機を構成することができる。なお、油圧切断機用の油圧ヘッド部としては、周知のものが使用される。
【００１３】
請求項４に記載の遠隔操作油圧工具は、請求項１に記載の遠隔操作油圧工具において、油圧ヘッド部が、固定ダイスが装着される固定ヘッド部と、可動ダイスが装着される基体部とを備えてなり、固定ダイスおよび可動ダイスを取り替えることにより、油圧ヘッド部がスリーブ圧着作業用の油圧ヘッド部または切断作業用の油圧ヘッド部として使用されるものである。
【００１４】
請求項４に記載の遠隔操作油圧工具によれば、専用の油圧操作棒を準備することなく、汎用の遠隔操作棒の先端に油圧ヘッド部を装着した状態で、その固定ヘッド部に装着される固定ダイスと基体部に装着される可動ダイスとをそれぞれスリーブ圧着作業用のダイスまたは切断作業用のダイスに取り替えることにより、簡単に遠隔操作可能な油圧式スリーブ圧着機または油圧切断機を構成することができる。すなわち、同じ油圧ヘッド部を先端に取り付けた遠隔操作棒を用いて、固定ダイスと可動ダイスの種類を変更することで、遠隔操作可能な油圧式スリーブ圧着機として、あるいは油圧切断機として使用することができる。
【００１５】
請求項５に記載の遠隔操作油圧工具は、請求項１〜４のいずれかに記載の遠隔操作油圧工具において、油圧ヘッド把持部が、遠隔操作棒の軸心方向に垂直な面に対して傾動可能に取り付けられているものである。
【００１６】
請求項５に記載の遠隔操作油圧工具によれば、油圧ヘッド把持部を遠隔操作棒に対して傾動させることができるので、スリーブ圧着作業用あるいは切断作業用の油圧ヘッド部を作業対象の被覆電線の態様に応じて最適な姿勢に設定し、被覆電線に対して最適な作業姿勢あるいは角度でアプローチでき、このため、作業を効率的かつ安全に実施することができる。
【発明の効果】
【００１７】
本発明によれば、空中に架線された被覆電線等に対するスリーブ圧着作業や切断作業において、専用の油圧操作棒を必要とせず、汎用の遠隔操作棒を用いることにより構成できる遠隔操作油圧工具を提供することができる。これにより、専用の油圧操作棒を準備するための経済的負担や工事現場でのハンドリング労力を低減することができる。
【発明を実施するための最良の形態】
【００１８】
以下、本発明の遠隔操作油圧工具に係る最良の実施の形態について、図面に基づき詳細に説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００１９】
まず、本発明の実施の形態に係る遠隔操作油圧工具の構造について、図１〜図４に基づき説明する。図１は、本発明の実施の形態に係る遠隔操作油圧工具の概要を説明するための斜視図であり、図２は、本発明の実施の形態に係る遠隔操作油圧工具における油圧ヘッド把持部の概要を説明するための斜視図である。また、図３は、本発明の実施の形態に係る遠隔操作油圧工具における油圧ヘッド把持部の構造を説明するための、（ａ）平面図、（ｂ）正面図、（ｃ）側面図であり、図４は、本発明の実施の形態に係る遠隔操作油圧工具における油圧ヘッド部の構造を説明するための側面図である。
【００２０】
本発明の遠隔操作油圧工具１は、汎用の遠隔操作棒２の先端に装着される油圧ヘッドアダプター１０（油圧ヘッド把持部）と、この油圧ヘッドアダプター１０に装着される油圧ヘッド２０（油圧ヘッド部）とを備えて構成される。本実施の形態では、スリーブ圧着作業用の油圧ヘッド２０を用いる態様について説明するが、この遠隔操作油圧工具１を遠隔操作棒２の先端に取り付けることで、遠隔操作可能な油圧式スリーブ圧着工具が構成されることになる。
【００２１】
遠隔操作棒２は、空中に架線された被覆電線等に対するスリーブ圧着作業や切断作業に汎用される周知の遠隔操作棒であり、油圧ヘッド２０に接続する油圧ホース３を遠隔操作棒２の外部に沿わせて使用される。遠隔操作棒２の軸心方向の数箇所には、この油圧ホース３の動きを拘束するための不図示の油圧ホース係止部が設けられ、これにより油圧ホース３が揺らいで遠隔操作棒２をふらつかせるのを防止している。なお、油圧ホース係止部は、単に紐を用いて油圧ホース３を縛るような簡単なもので構成されてもよい。
【００２２】
油圧ヘッドアダプター１０は、平面視略Ｃ字状の半円環部１２に油圧ヘッド２０を着脱可能に装着するアダプター本体部１１と、油圧ヘッドアダプター１０を遠隔操作棒２の先端に装着可能とする係合部１５とアダプター本体部１１を傾動可能とする傾動部１６とを有するジョイント金具１４と、からなる。
【００２３】
アダプター本体部１１の半円環部１２は、半円環部１２内に形成された空間に油圧ヘッド２０の胴部２６（被把持部２７）を挟持して支持するためのものであり、油圧ヘッド２０を簡単に着脱できるため、適宜、作業内容に対応した油圧ヘッド２０に取り替え、装着することができる。アダプター本体部１１は、半円環部１２の中央部がジョイント金具１４の傾動部１６に取り付けられて支持されるとともに、この中央部を挟んだ両側に円弧状の把持腕部１２ａが中心部から約１３５°の範囲にわたって延出されている。また、半円環部１２の内面には上下方向の中央部分に凸状の内面段差部１２ｂを有し、半円環部１２の両把持腕部１２ａのほぼ端部に近い部分にこの内面段差部１２ｂを貫通する雌ネジ穴１２ｃが形成されている。凸状の内面段差部１２ｂは、半円環部１２に油圧ヘッド２０の胴部が挿入されたときに、その胴部２６（被把持部２７）に形成された鍔部２７ａと係合して、油圧ヘッド２０を位置決めする役割を果たす。そして、この雌ネジ穴１２ｃには雄ねじを有する固定ネジ１３が螺入されており、内面段差部１２ｂによって油圧ヘッド２０が位置決めされた状態でこの固定ネジ１３を締め付けることによって、固定ネジ１３の先端部が半円環部１２の内面に突出し、油圧ヘッド２０が固定されることになる。
【００２４】
ジョイント金具１４の係合部１５は、有底円筒体を持って構成され、上方位置にある底板部１５ａの上面に傾動部１６が取り付けられ、下方位置にある円筒部１５ｂに略Ｔ字状のスリット１５ｃが形成されており、このスリット１５ｃに遠隔操作棒２先端に形成された突状係合片を係合させながら遠隔操作棒２を円筒部１５ｂ内に挿入することにより、遠隔操作棒２の先端にジョイント金具１４を結合させることができる。さらに具体的には、遠隔操作棒２先端の突状係合片を略Ｔ字状のスリット１５ｃの垂直溝１５ｄに沿わせて挿入し、その上端に達した後、水平溝１５ｅに沿わせて回転し（左右いずれでも可）、その左端（右端）に達した後、挿入の力を緩めると、底板部１５ａ下面に設けられた不図示の付勢材によって押し戻され、スリット止端部１５ｆに締着される。これによって、ジョイント金具１４は遠隔操作棒２の先端から外れることなく簡単な操作で固定される。なお、ジョイント金具１４を遠隔操作棒２の先端から離脱させる場合には、この逆の手順によれば、同じく簡単な操作で離脱させることができる。
【００２５】
また、傾動部１６は、油圧ヘッド２０を遠隔操作棒２の軸心方向に垂直な面に対して傾動させるためのものであり、側面に角度調整部１７を有し、この角度調整部１７の把持部１７ａをもってこれを緩めることにより傾動角を調整可能とし、角度調整部１７の把持部１７ａをもってこれを締めることにより設定された傾動角に保持することができる。遠隔操作棒２の軸心方向に垂直な面に対する傾動部１６の傾動角は、０〜１８０°の範囲（図３（ｂ）に示す傾動可能範囲Ｃを参照）で設定可能であり、油圧ヘッド２０を作業対象の被覆電線の態様に応じて最適な姿勢に設定することができる。
【００２６】
油圧ヘッド２０は、側面視Ｃ字状の、一方に開口して被覆電線を収容する空間（電線収容部２１ａ）が形成されたヘッド部２１と、このヘッド部２１に連設される胴部２６とで構成される。
【００２７】
ヘッド部２１は、電線収容部２１ａの側方から上方にかけて延出され、固定ダイス２４が装着される固定ヘッド部２２に、この固定ダイス２４の下方で、可動ダイス２５が装着される不図示のラム部が組み込まれた基体部２３とが一体に形成されたものである。可動ダイス２５は基体部２３のラム部を昇降させることにより、電線収容部２１ａ側方のヘッド部２１に形成された摺動溝に沿って上下動することができるように構成されている。また、固定ダイス２４と可動ダイス２５には、互いに対向する表面側にそれぞれ凹部２４ａ、２５ａが設けられ、また、裏面側にそれぞれ固定ヘッド部２２と、基体部２３側のラム部に穿設された穴に係合する不図示の係合突起が設けられている。これらの係合突起をそれぞれ固定ヘッド部２２、ラム部に穿設された穴に嵌挿することによって、固定ダイス２４と可動ダイス２５は固定ヘッド部２２、ラム部に係合される。
【００２８】
そして、電線収容部２１ａに、被覆材が剥ぎ取られ、スリーブＢが被せられた被覆電線の芯線部分Ａを導入し、固定ダイス２４および可動ダイス２５の凹部２４ａ、２５ａ間に配して、下述の操作により可動ダイス２５を固定ダイス２４に向けて上動（進入）させることにより、スリーブＢを心線部分Ａに圧着することができる。なお、固定ダイス２４および可動ダイス２５は、係合突起を固定ヘッド部２２、ラム部に穿設された穴から引き抜くことにより取り外し可能であり、作業対象となる被覆電線の心線Ａの外径やスリーブＢの形状、外径等に対応して、適当な形式のものに取り替えることができる。
【００２９】
胴部２６は、基体部２３の下方に取り付けられた筒状体であり、その取付部近傍に鍔部２７ａを有する被把持部２７が形成され、被把持部２７が油圧ヘッドアダプター１０の把持腕部１２ａにより把持されることにより、油圧ヘッド２０が油圧ヘッドアダプター１０に装着され、遠隔操作棒２に支持されることになる。また、胴部２６の内部に不図示の油圧シリンダーとこの油圧シリンダーに接続された雌型の高圧カプラとが内蔵され、外部からの力で損傷しないよう保持されている。この高圧カプラには、胴部２６筒状体の下方から挿入された油圧ホース３の雄型のカプラが接続され、手元の油圧ポンプから油圧シリンダーに至る湯路が形成されることになる。また、油圧シリンダーから上方に配されたピストンの上端部には、基体部２３に組み込まれたラム部が接続されている。
【００３０】
そして、油圧ポンプから湯路に油圧を負荷することにより、油圧シリンダーのピストンを伸長させ、それに接続されたラム部およびラム部に装着された可動ダイス２５を固定ダイス２４側に押し出して、固定ダイス２４と可動ダイス２５との間に位置する被覆電線の芯線部分Ａに被せられたスリーブＢを挟持し、さらに、このスリーブＢに対して圧縮力を負荷することによりスリーブＢを心線部分Ａに圧着することができる。
【００３１】
上記の実施の形態では、スリーブ圧着作業用の油圧ヘッド２０を用いる態様について説明したが、電線切断作業用の油圧ヘッドを用いる場合も、実施の態様としては上記内容と同じである。
【００３２】
また、スリーブ圧着作業用の油圧ヘッド２０と電線切断作業用の油圧ヘッドとは必ずしも別体である必要はなく、同じ油圧ヘッドに対してダイス部（固定ダイスおよび可動ダイス）だけを交換する（具体的には、圧着作業用のダイス２４、２５を、それぞれ切刃を有する切断作業用のダイスに交換する）ことにより、スリーブ圧着作業用の油圧ヘッド２０を電線切断作業用の油圧ヘッドとして構成してもよい。
【００３３】
このように、本発明の遠隔操作油圧工具１によれば、遠隔操作棒の先端に取り付けられた油圧ヘッド把持部１０に油圧ヘッド部２０が着脱可能に装着され、油圧ヘッド部２０に油圧を送給する油圧ホース３が遠隔操作棒２の外部に配して遠隔操作油圧工具を構成することができ、遠隔操作棒２の先端に取り付けられた油圧ヘッド把持部１０に、作業内容に対応した油圧ヘッド部２０を装着するだけで、各種の架線工事に適した遠隔操作油圧工具１を構成することができる。このように、遠隔操作棒２のほかに、油圧ヘッド把持部１０と作業内容に対応した油圧ヘッド部２０とを準備するだけでよく、経済的負担や工事現場でのハンドリング労力を低減できる。
【００３４】
しかも、油圧ヘッド把持部１０に傾動部１６が設けられているため、油圧ヘッド把持部１０を遠隔操作棒２に対して傾動させることができるので、スリーブ圧着作業用あるいは切断作業用の油圧ヘッド部２０を作業対象の被覆電線の態様に応じて最適な姿勢に設定し、被覆電線に対して最適な作業姿勢あるいは角度でアプローチでき、このため、作業を効率的かつ安全に実施することができる。
【図面の簡単な説明】
【００３５】
【図１】本発明の実施の形態に係る遠隔操作油圧工具の概要を説明するための斜視図である。
【図２】本発明の実施の形態に係る遠隔操作油圧工具における油圧ヘッド把持部の概要を説明するための斜視図である。
【図３】本発明の実施の形態に係る遠隔操作油圧工具における油圧ヘッド把持部の構造を説明するための、（ａ）平面図、（ｂ）正面図、（ｃ）側面図である。
【図４】本発明の実施の形態に係る遠隔操作油圧工具における油圧ヘッド部の構造を説明するための側面図である。
【図５】従来の油圧式圧縮工具の構造を説明するための、（ａ）正面図、（ｂ）側面図である。
【符号の説明】
【００３６】
１      遠隔操作油圧工具
２      遠隔操作棒
３      油圧ホース
１０    油圧ヘッドアダプター（油圧ヘッド把持部）
１１    アダプター本体部
１４    ジョイント金具
１５    係合部
１６    傾動部
２０    油圧ヘッド（油圧ヘッド部）
２１    ヘッド部
２２    固定ヘッド部
２３    基体部
２４    固定ダイス
２５    可動ダイス
２６    胴部
２７    被把持部
【図１】
2008113513.tif 000003
【図２】
2008113513.tif 000004
【図３】
2008113513.tif 000005
【図４】
2008113513.tif 000006
【図５】
2008113513.tif 000007